【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
光ファイバと銅線とのハイブリッドケーブル装置であって、
接続箱と、
第一端部と第二端部とを有する第一通信ケーブルであって、少なくとも一つの光ファイバと少なくとも一つの導電金属電線とを包含し、各々が第一と第二の端部を有し、前記第一通信ケーブル、前記少なくとも一つの光ファイバ及び前記少なくとも一つの金属電線の、第一端部が、前記接続箱に延伸し、各々の光ファイバの前記第一端部が、前記接続箱内の光ファイバコネクタで終端になる、第一通信ケーブルと、
第一端部と第二端部とを有する第二通信ケーブルであって、少なくとも一つの光ファイバと少なくとも一つの導電金属電線とを包含し、各々が第一と第二の端部を有し、前記第二通信ケーブル、前記少なくとも一つの光ファイバ及び前記少なくとも一つの金属電線の、第一端部が、前記接続箱に延伸し、各々の光ファイバの前記第一端部が、光ファイバコネクタで終端になり、各々の光ファイバの前記第二端部が、光ファイバコネクタで終端になる、第二通信ケーブルと、
を具備する、光ファイバと銅線とのハイブリッドケーブル装置において、
前記接続箱は、前記第一と第二の通信ケーブルの光ファイバの第一端部の前記コネクタが挿入され、前記第一と第二のケーブルの光ファイバが光学的に接続される、少なくとも一つのアダプタを包含し、
前記第一と第二の通信ケーブルの導電金属電線は、前記接続箱内で電気的に接続される、
光ファイバと銅線とのハイブリッドケーブル装置。
【請求項２】
前記第一と第二の通信ケーブルが一対の光ファイバを包含し、前記接続箱が二つの光ファイバアダプタを包含する、請求項１に記載の装置。
【請求項３】
前記第一と第二の通信ケーブルが一対の銅電線を包含する、請求項１に記載の装置。
【請求項４】
前記第一と第二の通信ケーブルが、４本の銅電線を包含する、請求項１に記載の装置。
【請求項５】
前記第二通信ケーブルの、少なくとも一つの光ファイバの第二端部と少なくとも一つの金属電線の第二端部との前記光ファイバコネクタが、ハイブリッドコネクタ筐体内に保持される、請求項１に記載の装置。
【請求項６】
前記第二通信ケーブルの少なくとも一つの金属電線の第二端部が、ピンコネクタで終端となり、前記ピンコネクタが前記ハイブリッドコネクタ筐体内に保持される、請求項５に記載の装置。
【請求項７】
前記ハイブリッドコネクタ筐体が光ファイバアダプタを包含し、アダプタの中へ前記第二通信ケーブルの少なくとも一つの光ファイバの第二端部の前記コネクタが挿入される、請求項５に記載の装置。
【請求項８】
前記第一通信ケーブルの少なくとも一つの光ファイバの第二端部が、光ファイバコネクタで終端となる、請求項１に記載の装置。
【請求項９】
前記第一通信ケーブルの、少なくとも一つの光ファイバの第二端部と少なくとも一つの金属電線の第二端部との前記光ファイバコネクタが、ハイブリッドコネクタ筐体内に保持される、請求項８に記載の装置。
【請求項１０】
前記第一通信ケーブルの少なくとも一つの金属電線の第二端部が、ピンコネクタによって終端となり、前記ピンコネクタが前記ハイブリッドコネクタ筐体内に保持される、請求項９に記載の装置。
【請求項１１】
前記ハイブリッドコネクタ筐体が光ファイバアダプタを包含し、アダプタの中へ前記第一通信ケーブルの少なくとも一つの光ファイバの第二端部の前記コネクタが挿入される、請求項９に記載の装置。
【請求項１２】
前記第一通信ケーブルの金属電線の第一端部がピンコネクタによって終端となり、前記ピンコネクタが前記接続箱内に保持される、請求項１に記載の装置。
【請求項１３】
前記第二通信ケーブルの金属電線の第一端部がピンコネクタによって終端となり、前記ピンコネクタが前記接続箱内に保持される、請求項１に記載の装置。
【請求項１４】
前記第一通信ケーブルの金属電線の第一端部がピンコネクタによって終端となり、前記ピンコネクタが前記接続箱内に保持され、前記第一と第二の通信ケーブルの金属電線のピンコネクタが、前記第一通信ケーブルの電線を前記第二通信ケーブルの電線と電気的に接続するために前記接続箱内で嵌合される、請求項１３に記載の装置。
【請求項１５】
前記通信ケーブルが各々長手方向に延在する強度部材を包含し、前記接続箱が一対のクランプを包含し、各々のクランプが前記通信ケーブルの一つの強度部材を受容し保持するためのものである、請求項１に記載の装置。
【請求項１６】
ハイブリッド通信ケーブルコネクタ装置であって、
開放第一端部と開放第二端部とを備える内部キャビティを確定する第一の二部品筐体と、
開放第一端部と開放第二端部とを備える内部キャビティを確定する第二の二部品筐体と、
を具備する、ハイブリッド通信ケーブルコネクタ装置において、
前記第一筐体の内部キャビティの第二端部は、少なくとも一つの光ファイバと少なくとも一つの金属電線導電体とを包含する第一通信ケーブルを受容するための大きさに作られ、前記光ファイバは光ファイバコネクタによって終端になり、前記金属電線はピンコネクタによって終端になり、
前記内部キャビティは、前記第一通信ケーブルの少なくとも一つの光ファイバを終端にする前記光ファイバコネクタを配置される第一凹部と、前記第一通信ケーブルの少なくとも一つの金属電線を終端にする前記ピンコネクタを配置される第二凹部とを包含し、
前記第二筐体の内部キャビティの第二端部は、少なくとも一つの光ファイバと少なくとも一つの金属電線導電体とを包含する第二通信ケーブルを受容するための大きさに作られ、前記光ファイバは光ファイバコネクタによって終端になり、前記金属電線はピンコネクタによって終端になり、
前記第二筐体の内部キャビティは、前記第二通信ケーブルの少なくとも一つの光ファイバを終端にする前記光ファイバコネクタを挿入する光ファイバアダプタを配置される第一凹部と、前記第二通信ケーブルの少なくとも一つの金属電線を終端にする前記ピンコネクタを配置される第二凹部とを包含し、
前記第一と第二の筐体の第一端部は、前記光ファイバアダプタ内に受容される前記第一通信ケーブルの少なくとも一つの光ファイバを終端にする前記光ファイバコネクタの光ファイバコネクタによって、及び嵌合された前記第一と第二の通信ケーブルの少なくとも一つの金属電線を終端にする前記ピンコネクタによって、互いに係合するようになっている、
ハイブリッド通信ケーブルコネクタ装置。
【請求項１７】
前記第一の二部品筐体が、前記第一通信ケーブルの強度部材を受容し保持するためのクランプを包含する、請求項１６に記載のハイブリッド通信ケーブルコネクタ装置。
【請求項１８】
第一と第二の筐体の部分を備える外部筐体を具備する、ハイブリッドケーブルコネクタであって、
前記第一と第二の筐体の部分は、第一開放端部から第二開放端部に延在する内部キャビティを形成するために協同し、
前記キャビティは、前記第一端部でケーブル導入口を画定し、
前記キャビティは、前記第二端部に隣接し前記第二端部を介してアクセス可能な、光ファイバアダプタとピンコネクタとを包含し、
前記第一端部と前記アダプタ及びピンコネクタとの間のキャビティは、前記キャビティ導入口を介して配置される銅線／光ファイバのハイブリッドケーブルから延伸する光ファイバコネクタで終端となる光ファイバの少なくとも一つのより線と、少なくとも一つの銅導線とを受容するための大きさに作られ、
前記第一と第二の筐体部分は、前記第一端部と第二端部との間のキャビティにアクセス可能にするために、互いに取外し可能に取付けられる、
ハイブリッドケーブルコネクタ。
【請求項１９】
前記キャビティ内へ前記ケーブル導入口を介して延伸するハイブリッドケーブルをさらに具備し、前記ハイブリッドケーブルが、前記光ファイバアダプタ内に挿入される光ファイバコネクタで終端となる少なくとも一つの光ファイバのより線と、前記ピンコネクタで終端となる少なくとも一つの銅導線とを包含する、請求項１８に記載のハイブリッドケーブルコネクタ。
【請求項２０】
第一と第二の筐体の部分を備える外部筐体を具備する、ハイブリッドケーブルコネクタであって、
前記第一と第二の筐体の部分は、第一開放端部から第二開放端部まで延在する内部キャビティを形成するために協同し、
前記キャビティは、前記第一端部でケーブル導入口を画定し、
前記キャビティは、前記第一と第二の端部との間の強度部材のケーブルクランプ、及び前記第二端部に隣接する光ファイバコネクタ受容領域とピンコネクタとを包含し、前記コネクタと前記ピンコネクタは、前記第二開放端部を介してアクセス可能であり、
前記第一端部と前記ピンコネクタとの間の前記キャビティは、前記ケーブル導入口を介して配置される銅線／光ファイバのハイブリッドケーブルから延伸する、少なくとも一つの光ファイバより線と少なくとも一つの銅導線とを受容するための大きさに作られ、
前記第一と第二の筐体の部分は、前記第一と第二の端部の間の前記キャビティにアクセス可能とするために、互いに取外し可能に取付けられる、
ハイブリッドケーブルコネクタ。
【請求項２１】
前記キャビティ内にケーブル導入口を介して延在するハイブリッドケーブルをさらに具備し、前記ハイブリッドケーブルが、前記コネクタ受容領域内に配置される光ファイバコネクタで終端となる少なくとも一つの光ファイバのより線と、前記ピンコネクタで終端となる少なくとも一つの銅導線と、前記キャビティに延在し前記キャビティ内の前記ケーブルクランプによって確実に保持される強度部材とを包含する、請求項２０に記載のハイブリッドケーブルコネクタ。
【請求項２２】
ハイブリッドケーブルを使用するための接続箱であって、
内部と、前記内部に封鎖するために主筐体に装着可能で取外し可能な蓋とを画定し、第一と第二の端部を有し、各端部がケーブル取付部品を包含する主筐体と、
前記内部に装着される光ファイバアダプタを備える隔壁と、
前記端部のケーブル取付部品から前記隔壁に装着される前記アダプタに光ファイバケーブルを導くために、前記内部に装着されるケーブルの管理構造体と、
各ケーブル取付部品に隣接する前記内部に装着されるケーブルの強度部材のクランプと、
前記内部にハイブリッドケーブルの導入が可能で、前記取付部品を介して前記ハイブリッドケーブルと並んで修理ケーブルを配置し、二つの取外し可能な部品を包含する各々のケーブル取付部品と、
銅導線を終端とするための前記内部のピンコネクタと、
を具備する、ハイブリッドケーブルを使用するための接続箱。
【請求項２３】
光ファイバと銅線とのハイブリッド通信ケーブルを修理する方法であって、
接続箱内に開口部を介して延伸する第一端部とハイブリッドコネクタ内に開口部介して延伸する第二端部とを備える第一ケーブルにおいて、前記ケーブルが、前記接続箱内に第一端部と前記コネクタ内に第二端部とを備える少なくとも一つの光ファイバ、及び前記接続箱内に第一端部と前記コネクタ内に第二端部とを備える少なくとも一つの金属電線を包含し、前記光ファイバが、光ファイバコネクタによって前記第一と第二端部の各々で終端になり、前記光ファイバコネクタが各々、光ファイバアダプタ、すなわち前記接続箱の内部の第一アダプタとハイブリッドコネクタの内部の第二アダプタの中に挿入される第一ケーブルを用意する段階と、
前記接続箱の内部にアクセスし、前記第一ケーブルの光ファイバの第一端部で前記光ファイバコネクタを前記第一アダプタから取外す段階と、
第一端部と第二端部、及び前記第一端部と第二端部の各々で前記光ファイバを終端にする光ファイバコネクタを備える光ファイバケーブルを用意する段階と、
前記接続箱の内部に前記光ファイバケーブルの第一端部を延伸する段階と、
前記第一ケーブルの光ファイバの第一端部が取外された前記第一アダプタ内に、前記光ファイバケーブルの第一端部の前記光ファイバコネクタを挿入する段階と、
前記光ファイバケーブルの第二端部が前記第一ケーブルの第二端部に隣接するように、前記第一ケーブルに沿って前記光ファイバケーブルの経路を定める段階と、
前記ハイブリッドコネクタの内部にアクセスし、前記第一通信ケーブルの光ファイバの第二端部の前記コネクタを第二アダプタから取外す段階と、
前記ハイブリッドコネクタの内部に前記光ファイバケーブルの第二端部を延伸する段階と、
前記第一通信ケーブルの光ファイバの第二端部が取外された前記第二アダプタ内に、前記光ファイバケーブルの第二端部の前記光ファイバコネクタを挿入する段階と、
を含む、光ファイバと銅線とのハイブリッド通信ケーブルを修理する方法。
【請求項２４】
光ファイバアダプタと銅コネクタとを含んでいる差し込み継手に接続するためのハイブリッドケーブルコネクタであって、
第一筐体部分と第二筐体部分とを備えた筐体を具備するハイブリッドコネクタにおいて、
前記第一と第二の筐体部分は、第一開放端部から第二開放端部に延在する内部キャビティを形成するために協働し、
前記内部キャビティの第二端部は、少なくとも一つの光ファイバと少なくとも一つの金属電線とを包含するハイブリッドケーブルを受容するための大きさに作られ、前記光ファイバは第一光ファイバコネクタによって終端になり、前記金属電線は第一ピンコネクタによって終端になり、前記第一ピンコネクタはコネクタの筐体を含んでおり、
前記内部キャビティは、前記ハイブリッドケーブルの少なくとも一つの光ファイバを終端にする前記第一光ファイバコネクタが配置されている第一凹部と、前記ハイブリッドケーブルの少なくとも一つの金属電線を終端にする前記第一ピンコネクタが配置されている第二凹部とを包含し、
前記筐体が第一開放端部において前記差し込み継手に差し込まれると、前記第一光ファイバコネクタは前記差し込み継手の前記光ファイバアダプタに接続可能であり、そして前記第一ピンコネクタは前記差し込み継手の前記銅コネクタに接続可能であって、
前記第一筐体部分と第二筐体部分とは、前記第一光ファイバコネクタ及び第一ピンコネクタにアクセスするために分割可能であり、
前記第一光ファイバコネクターと、前記第一光ファイバコネクタによって終端になっている少なくとも一つの光ファイバは前記内部キャビティから取り外し可能であり、第二光ファイバを終端にしている第二光ファイバコネクタは前記内部キャビティの中に設置されていてもよくて、前記第二光ファイバコネクタは前記第一光ファイバコネクタと同一の構造であって、前記筐体が前記差し込み継手に再差し込みされると、前記第二光ファイバコネクタは前記差し込み継手の前記第一光ファイバアダプタに接続可能であり、そして前記第一ピンコネクタは前記差し込み継手の前記銅コネクタに接続可能であって、
前記ハイブリッドケーブルコネクタは、前記第一光ファイバコネクタを前記内部キャビティから取り外ずすことができるように、そして前記第二光ファイバを終端とする前記第二光ファイバコネクタにより交換することができるように、形成されており、前記第二光ファイバコネクタは、前記第一光ファイバアダプタと同一な構造である第一光ファイバアダプタに取り付けることができ、前記第二光ファイバコネクタは、前記コネクタの第一筐体部分と第二筐体部分とにより形成された前記内部キャビティの外側の前記光ファイバアダプタに取り付け可能である、
ハイブリッドケーブルコネクタ。
【請求項２５】
さらに複数の第一光ファイバコネクタと、前記内部コネクタにより受容される複数の第一ピンコネクタとを有している、請求項２４に記載のハイブリッドケーブルコネクタ。